(57)【要約】この発明は、前壁（２）と背壁（３）を具えるケーシング（４）を持つ観察装置（１）に係るものであり、前壁（２）にはケーシング（４）内部の画像キャリア（６）に表示される画像（７）を見るための少なくとも一つの観察窓（５）が設けられている。画像キャリア（６）上で画像対象の最適な表現を簡単な方法で実現するために、観察窓（５）に対して画像キャリア（６）が第一の端部位置から第二の端部位置へ、またその逆へと変化するように、画像キャリア（６）に作用する少なくとも一つの駆動装置（８−８IV； ８０； ９０； ９０’）がケーシング（４）の中に装備されることを本発明は提案する。【選択図】図１
2009509181.tif 000002
【特許請求の範囲】
【請求項１】
前壁（２）と背壁（３）を有するケーシング（４）を具え、前記前壁（２）に画像キャリア（６）上のケーシング（４）内部に表示された画像（７）を見るために少なくとも一の観察窓（５）が設けられている観察装置において、前記ケーシング（４）に、前記画像キャリア（６）に作用する少なくとも一の駆動装置（８−８IV； ８０； ９０； ９０’）を設けて、画像キャリア（６）の位置を観察窓（５）に対して第一の端部位置から第二の端部位置、またその逆に変えられるようにし、前記画像の残りを様々な視野から見ることができることを特徴とする観察装置。
【請求項２】
請求項１に記載の観察装置において、前記画像キャリア（６）全体が駆動装置（８０）によって観察窓（５）からまたは観察窓（５）の方向へ変位するようにケーシング（４）の内部に支持されていることを特徴とする観察装置。
【請求項３】
請求項１に記載の観察装置において、前記画像キャリア（６）の少なくとも二つの対向する端部領域（１４）が、それぞれ、支持装置（３１）が同時に逆方向に回転して、前記画像キャリア（６）の曲率が前記観察窓（５）に対して変位するように、それぞれが回転可能に形成された前記支持装置（３１）によって支持されていることを特徴とする観察装置。
【請求項４】
請求項１に記載の観察装置において、前記画像キャリア（６）の少なくとも二つの対向する端部領域（１４）が、それぞれ、支持装置によって支持されており、当該支持装置が、前記画像キャリアの長軸方向において相互に変位可能に構成されており、前記二つの支持装置が互いに対して変位する場合に、前記画像キャリア（６）の曲率が察窓（５）に対して変化し得るように保持されていることを特徴とする観察装置。
【請求項５】
請求項１に記載の観察装置において、当該観察装置の観察者に向いた前記画像キャリア（６）の端部領域の側部に、前記画像キャリア（６）の長軸に実質的に直交して相互に変位する二つのホルダ（３４, ３５）が備設けられており、その間に透明でプレート状のエレメント（３３）がクランプされており、これが、所定の動作にあっては、画像キャリア（６）を外側で押して、画像キャリア（６）の曲率が観察窓（５）に対して観察装置のケーシング（４）の内部に向けて変位することを特徴とする観察装置。
【請求項６】
請求項１に記載の観察装置において、前記画像キャリア（６）の少なくとも二つの対向する端部領域（１４）は、前記画像キャリアの中央部分に作用する駆動装置（８−８IV； ８０）によって、前記画像キャリア（６）の曲率が前記観察窓（５）に対して変化し得るように、それぞれの支持装置（１２）によって保持されていることを特徴とする観察装置。
【請求項７】
請求項１に記載の観察装置において、前記支持装置（１２）はガイドを具え、曲率の変化に際して、側方に動く前記画像キャリア（６）の端部領域（１４）を案内することを特徴とする観察装置。
【請求項８】
請求項１に記載の観察装置において、前記画像キャリアの端部領域が可塑性の結合手段を介して前記支持装置に連結されていることを特徴とする観察装置。
【請求項９】
請求項１に記載の観察装置において、前記駆動装置（８０）が少なくとも三つの駆動部（８１−８３）を具え、二つの駆動部（８１, ８２）がそれぞれ前記画像キャリア（６）の端部領域に固定され、一つの駆動部（８３）が前記画像キャリア（６）の中央部分に固定されており、前記駆動部（８１−８３）は実質的に前記画像キャリア（６）の長軸に対して直交して前記画像キャリア（６）を移動させることを特徴とする観察装置。
【請求項１０】
請求項９に記載の観察装置において、前記画像キャリア（６）の中央部分に作用する前記駆動部（８３）は、プレート状のアクチュエータ（８４）を介して前記画像キャリア（６）に作用することを特徴とする観察装置。
【請求項１１】
請求項１乃至請求項１０のいずれか１項に記載の観察装置において、前記駆動装置（８−８IV； ８０）が、少なくとも一台の電動モータ式で、それぞれ画像キャリア（６）に作用するダウンストリーム式アクチュエータ（１０； １８； ２０； ２５； ２８； ３３； ８４）付の駆動部（９； ２７； ８１−８３）を具えることを特徴とする観察装置。
【請求項１２】
請求項１１に記載の観察装置において、前記駆動装置（８）は、アクチュエータ（１０）として前記画像キャリア（６）に作用するズーム機構を具えることを特徴とする観察装置。
【請求項１３】
請求項１１に記載の観察装置において、前記駆動装置（８IV）は、アクチュエータ（２８）として前記画像キャリア（６）の下側そして／または上側の端部領域に作用する変位可能なスライダを具えることを特徴とする観察装置。
【請求項１４】
請求項１３に記載の観察装置において、前記駆動装置（８’）が偏心駆動機構であることを特徴とする観察装置。
【請求項１５】
請求項６に記載の観察装置において、前記駆動装置（８’）が、調整輪（１９）を用いて前記ケーシング（４）の外側から手動で作動する偏心駆動機構であることを特徴とする観察装置。
【請求項１６】
請求項６に記載の観察装置において、前記駆動装置（８”）が、硬く平らな金属製もしくは合成樹脂製バンド（２０）を具え、このバンドが前記画像キャリア（６）の背面に固定されたガイド（２１）を通って案内され、その一端が前記ケーシングに固定された支持装置（２２）に固定され、他端が巻取機構（２３）によって巻取り及び／又は巻戻し可能に配置されていること特徴とする観察装置。
【請求項１７】
請求項６に記載の観察装置において、前記駆動機構（８’’’）がバウデンワイヤ（２４）であり、当該バウデンワイヤ（２４）の芯線（２５）が前記画像キャリア（６）の背面に配置された固定装置（２６）に連結されていることを特徴とする観察装置。
【請求項１８】
請求項１乃至１４のいずれか１項に記載の観察装置において、前記ケーシング（４）に、前記背壁（３）近傍に配置された前側ストッパ面（１２）が設けられており、当該前側ストッパ面に対して前記画像キャリア（６）が第１の端部位置において形状が当てはまることを特徴とする観察装置。
【請求項１９】
請求項１乃至１５のいずれか１項に記載の観察装置において、前期前壁（２）が前記画像キャリア（６）の前側ストッパ面として形成されており、当該前側ストッパ面に対して前記画像キャリア（６）が第２の端部位置において形状が当てはまることを特徴とする観察装置。
【請求項２０】
請求項１乃至１６のいずれか１項に記載の観察装置において、前記画像キャリア（６）が可塑性の材質からなる平面画像キャリアであることを特徴とする観察装置。
【請求項２１】
請求項１乃至１７のいずれか１項に記載の観察装置において、前記画像キャリアが前記ケーシングに配置された光源によって照明されることを特徴とする観察装置。
【請求項２２】
請求項１８に記載の観察装置において、前記画像キャリアが透明な材質からなり、前期ケーシング背面から照明されうることを特徴とする観察装置。
【請求項２３】
請求項１乃至１９のいずれか１項に記載の観察装置において、前記画像キャリアが照射可能な、あるいは光透過性の照射可能な画像投影面として形成されていることを特徴とする観察装置。
【請求項２４】
請求項２３に記載の観察装置において、前記画像投影面がフレキシブルな投影スクリーン、もしくはプラスチック面あるいは鏡面であることを特徴とする観察装置。
【請求項２５】
請求項１に記載の観察装置において、前記駆動装置（９０, ９０’）が、少なくとも電磁石（９１, ９１’）を具え、当該電磁石が少なくとも一の磁性あるいは帯磁性のエレメント（９２, ９２’）に作用するものであり、当該エレメントが前記画像キャリア（６）それ自体によって形成されるか、あるいは前記画像キャリア（６）の背面（１１）または画像キャリア（６）の縁側面のいずれかに配置されていることを特徴とする観察装置。
【請求項２６】
請求項１に記載の観察装置において、前記駆動装置がクッション状に形成された圧力容器（１００, １００’）を伴う流体駆動部であり、前記圧力容器（１００, １００’）は少なくとも一のフレキシブルに形成された壁を具え、この壁によって直接もしくはアクチュエータ（１０１）を介して、前記画像キャリア（６）の位置を変化させるために前記画像キャリア（６）に作用することを特徴とする観察装置。
【請求項２７】
請求項２６に記載の観察装置において、圧力容器（１００）が前記画像キャリア（６）に対して前側に配置され、前記画像キャリア（６）と、観察装置の前壁（２）とが前記圧力容器（１００）の側壁を形成しており、前期前壁（２）が前記観察窓（５）の前記領域において閉鎖されており、透明な材質でできていることを特徴とする観察装置。
【請求項２８】
請求項２６に記載の観察装置において、前記圧力容器（１００’）が前記画像キャリア（６）の背面に配置されたクッション状のセパレート型容器であり、前記画像キャリア（６）の位置を変化させるために追加のアクチュエータ（１０１）を介して画像キャリア（６）に作用することを特徴とする観察装置。
【発明の詳細な説明】
【技術分野】
【０００１】
この発明は、前壁と背壁を具えるケーシングの付いた観察装置に係わるものであり、前壁にはケーシング内部のスリーンに表示される画像を見るための少なくとも一つの観察窓が設けられている。
【０００２】
ＷＯ２００５／０５１１４１Ａ１にて上記のような観察装置は公知であり、そこでは画像キャリア上に在る平坦な画像対象の空間的な印象を創り出すために、画像キャリアが看者から離れて曲率状になったケーシング背壁の内面に配置されており、ケーシング前壁の外表面は看者に向けて曲率している。
【０００３】
前壁および背壁の曲率は、通常は固定して設定されているので、このような公知の観察装置では、見るべき画像対象の観察フォームにおいてそれぞれが与えられた空間性や視覚関係により適合するようにあるいは変化するようにすることはできない。このことはとりわけ広告ディスプレイや液晶平面ディスプレイ装置の場合には、看者が、例えば表示された画像対象の空間的印象を高めたいと望んでも、光の具合や見る角度に起因してそれを実現することは困難である。
【０００４】
本発明の課題は、簡単な方法で、一台の同じ装置において画像キャリア上にある画像対象の最適な表示を可能にする観察装置を提供することである。
【０００５】
この課題は、本発明の請求項１によって解決され、とりわけ本発明の有利な形態は従属請求項によって開示されている。
【０００６】
本発明は、基本的に観察装置のケーシングの中に少なくとも一つの駆動装置を具え、画像キャリアの位置を観察窓に対して第一の端部位置から第二の端部位置へと、そしてまたその逆に変えられるように、前記駆動装置が画像キャリアに作用するようにすると云う考えに基づくものである。
【０００７】
一台の駆動装置によって画像キャリアの位置を変えられるようにすることによって、観察装置のケーシングが固定的に据え付けられていても、画像表示自体がそれぞれの看者に最適なものとなり得る。
【０００８】
更に、常時動きながら変わる画像キャリアによって、看者が高い注意力が払うようになり、これはとりわけ宣伝情報の表示にあっては、販売促進の目的で画像キャリア上に商品を表示する場合に有益である。 
【０００９】
本発明の第一実施例においては、画像対象の空間的効果を高めあるいは抑えるために、画像キャリアの少なくとも二つの対向する端部領域が、駆動装置が画像キャリアの曲率を観察窓に対して変えることができ、曲率が変化する間に横方向に変位する画像キャリアの端部領域が、支持装置のガイドもしくは可塑性エレメントいずれかによって保持されるように、支持装置によって支持されている。
【００１０】
本発明の第二の実施例においては、画像キャリアの少なくとも二つの対向する端部領域が、それぞれ、支持装置が逆方向に同時回転する場合に、画像キャリアの曲率を観察窓に対して変えることができるように、ロータリィ設計された支持装置を具える。
【００１１】
本発明の第三の実施例においては、画像キャリアの少なくとも二つの対向する端部領域がそれぞれ支持装置によって支持されており、この支持装置は、支持装置が互いに対して変位する場合に画像キャリアの曲率が観察窓に対して変化するように、画像キャリアの長軸方向において相互変位可能なように設計されている。
【００１２】
この実施例の代替例においては、画像キャリア自体の端部領域ではなく外側に配置された透明でプレート状のエレメントが、側部に設けた可動式のホルダで保持されている。このホルダを互いに対して変位させた際に、前記エレメントが画像キャリアを外側から押し、その結果として画像キャリアの曲率が観察窓に対してケーシングの内部に向かって変化することになる。
【００１３】
本発明の第四実施例においては、画像対象の奥行き効果を高めるために、画像キャリアは観察装置のケーシングの内部に、画像キャリア全体が駆動装置によって観察窓から離れたり近付いたりして変位するように格納されている。
【００１４】
本発明の第五実施例においては、駆動装置が三つの駆動部を具え、二つの駆動部はそれぞれ画像キャリアの対向する端部領域に、また一つの駆動部は画像キャリアの中央部分に取付けられている。このような観察装置よって、並行移動と画像キャリアの曲率変化の両方を行うことが可能である。更に、画像キャリアは観察装置のケーシングに対して斜めの状態にするか、あるいは画像キャリアの中央部分に作用する駆動部がプレート状のアクチュエータを具える場合は、画像キャリアの端部領域のみを曲げて、画像キャリアの残りの部分を平坦に形成にすることも可能である。
【００１５】
駆動装置がアクチュエータ付きの電動式駆動部であれば、それはとりわけ有利であることが証明されている。この場合の画像キャリアの最適な位置への設定は、例えばリモコンによって看者の位置から行うことができる。
【００１６】
アクチュエータは、例えば画像キャリアの背面の中間部分で動作するズーム機構であってもよい。しかし、画像キャリアの上または下の端部領域で動作するスライド機構（リニアガイド）も対象となり得る。
【００１７】
本発明による観察装置（例えば額縁の中での写真の表示）のより単純な実施例においては、駆動装置は、ケーシングの外側から作動させることができる装置であってもよい。この場合に、例えば一部が外側に出ている調整輪を用いて画像キャリアに対して内側を偏心して押圧して回転させることができる。
【００１８】
また、駆動装置として固く平滑な金属製あるいは合成樹脂製バンドを使用し、画像キャリアの背面に取付けられたガイドを通って、その一端をケーシングに固定された支持装置に固定し、他端を巻取機構によって巻き取り及び／又は巻戻し可能に配置することが、長所として更に証明されている。
【００１９】
非常に簡単な駆動装置はバウデンワイヤを具え、バウデンワイヤの芯線が画像キャリアの背面に配置された固定装置に連結されているものである。バウデンワイヤは、使用に際して、観察装置のケーシングの外側あるいは内部さもなければその他の場所に取付けることができる電動式あるいは手動式の調整エレメントに簡単に連結することができる。
【００２０】
しかしながら、駆動装置は磁気動作方式の装置であってもよく、この場合、画像キャリア（例えば従来型のディスプレイ装置のシャドウマスク）自体によって形成されるか、あるいは画像キャリア背面もしくは画像キャリアの側端部分に配置され、少なくとも一の磁性エレメントに作用する電磁石が設けられている。このような駆動装置は、特に、画像キャリアが密閉された空間内に在る観察装置に向いており、とりわけスクリーンが真空中に格納されている画像キャリア用に好適である。
【００２１】
駆動装置は、更に流体式の駆動部であってもよく、例えば、画像キャリアを位置変化させるために例えばクッション状に形成されたフレキシブルな圧力容器が適用され得る。ここでは、相応の“圧力クッション”によって、画像キャリアの背面からも前面からも画像キャリアの制御が可能となる。
【００２２】
画像キャリアを背面から駆動する場合、“圧力クッション”が、直接、あるいは別に設けたアクチュエータを介して、画像キャリアに作用し得る。前面から画像キャリアを駆動する場合は、画像キャリア表面全体に平坦に広がる別の平らで透明な“圧力クッション”を使用するか、あるいは画像キャリア自体が“圧力クッション”のフレキシブルな壁を構成する。画像キャリアの向かい側に位置するこの圧力クッションの壁は、観察装置の前壁（観察窓のその領域が透明になっている）によって形成することができる。
【００２３】
このような流体式の駆動装置を使用する場合、観察装置のケーシング外側あるいは内部、さもなければその他の場所に取付けた相応の機械式あるいは手動式の調整エレメントで非常に簡単に制御することができる。
【００２４】
例えば観察装置の運搬中に、画像キャリアの端部位置を安定した状態にするために、背壁近くに位置するストッパー面が観察装置のケーシングの中に設けられていれば、画像キャリアが第一の端部位置に形状が収まることは目的に適っていることが証明されている。更に前壁も画像キャリアの前面側のストッパー面として形成することができ、画像キャリアが第二の端部位置に形状が収まる。
【００２５】
画像キャリアは、可塑性材からなる平面スクリーンであってもよい。しかしながら、その他の画像キャリアも考えることができる。
【００２６】
先に引用したＷＯ２００５／０５１１４１Ａ１と同じように、画像キャリアは少なくともケーシングの内部に配置し得る光源によって照明される。ここで、画像キャリアが透明な材質でできている場合は、画像キャリアはケーシングの背面からも照明される。
【００２７】
図１では、符号１で示す本発明による観察装置が示されており、例えばＯＬＥＤ平面ディスプレイが用いられている。ディスプレイ制御用の電子装置は、明確化のためにここでは示されていない。
【００２８】
観察装置１は前壁２と背壁３を有するケーシング４を具え、前壁２には、ケーシング４内に表示された画像７を画像キャリア６（通常、長方形もしくは正方形）で観察するための観察窓５が設けられている。
【００２９】
図に示す例では、画像キャリア６は、セパレート型の可塑性素材からなるキャリアフィルムであり、その前側に画像情報を再生するＯＬＥＤディスプレイ付スクリーンフィルム７（図示せず）が取付けられている。しかしながら、背壁３を向いているフィルムは、画像キャリアが所定の適度に安定したスクリーンフィルムとしても作用し得る。
【００３０】
本発明によれば、観察装置１は画像キャリア６に作用する駆動装置８を具えるとともに、この駆動装置は、電動式駆動部９とアクチュエータ１０を具える。駆動装置８は、画像キャリア６の背面１１中央部に、画像キャリア６の位置を観察窓５に対して第一の端部位置から第二の端部位置に変えられるよう、作用する。この場合、 図１において、画像キャリア６は第一と第二の端部位置の中間となる中間ポジションに位置している。
【００３１】
観察装置１は更に、背壁３の近くに配置され背壁３側に曲率したストッパ面１２を具えており、この面上で画像キャリア６は第一の端部位置にあり、従って凹の曲率を示している。端部において、ストッパー面１２は前壁２まで延在して、これを補強している。
【００３２】
前壁２の近傍において、ストッパ面１２はスロット状の開口部１３を有しており、この開口を通って画像キャリア６の端部領域１４が挿し込まれている。駆動装置８が作動するときの画像キャリア６の曲率と、従って画像キャリア６の端部領域１４の側面の位置が変わる際に、ストッパ面１２は画像キャリア側面側を支持する支持装置として、また、画像キャリア６の側面側ガイドとしても機能する。
【００３３】
第二の端部位置において、画像キャリア６は前壁２の内側１５に当たる。
【００３４】
図１に破線で示すように、観察窓は、追加の透明なカバーフィルム１６か、または、画像キャリア６の保護のための板ガラスによって提供され得る。
【００３５】
図１に示す実施例では、駆動装置８は、例えば電子カメラで用いられているような公知のズーム機構である。
【００３６】
もちろん他の駆動装置を用いることもできる。
【００３７】
図２では、例えば偏心機構を持つ駆動装置８’を示す。これは回転軸１７を中心に回転する偏心輪１８を具え、本件の場合、電動モータ駆動部（図示せず）と手動式の操作輪１９の双方によって回転することができる。偏心輪１８は画像キャリア６の背面に作用して、リセットエレメント（図示せず）によってプレストレスのかかった位置から看者に向けて押出す。
【００３８】
図３に、駆動装置に関する更なる実施例を示す。ここでは駆動装置８”’として、硬く平らな金属製あるいは合成樹脂製バンド２０を用いることが提示されており、これは画像キャリア６の背面に固定されたガイド２１を通って案内され、その一端がケーシングに固定された支持装置２２に固定され、他端は巻取機構２３によって電動もしくは手動で巻取及び／又は巻戻可能に取付けられている。
【００３９】
非常に簡単な駆動装置が図４に示されている。この駆動装置８’’’はバウデンワイヤ２４を具え、バウデンワイヤ２４の芯線終端２５は、画像キャリア６の背面に配置された固定装置２６に連結されている。
【００４０】
バウデンワイヤ２４を使用する場合、観察装置のケーシング４内外あるいはその他の場所に設置できる相応の電動式もしくは手動式の操作エレメントに簡単な方法で連結することができる。
【００４１】
図５から明らかなとおり、画像キャリア６用の駆動装置８IVも、電動モータ式スピンドル駆動機構２７を具える。ここでは、スピンドルナット２８がスライダとなっており、ガイド２９に沿って変位する。ここではモータで動くスライダ２８が画像キャリア６の上側及び／又は下側端部領域に作用してこれを変位させ、スライダ２８は、望ましくは画像キャリア６に表示される画像情報を看者から見えないように配置されている。
【００４２】
図６から明らかなように、画像キャリア６の端部をケーシング４に連結するためのスロット状開口部１３を持つ、図１に記載されている支持装置１２は、ゴムリップや発泡ゴムあるいは折畳んだ端部領域（ラウドスピーカでよく使用される）などの可塑性エレメント３０で置き換えることもできる。
【００４３】
もちろん、駆動装置は単一の駆動部のみを具える必要はなく、また必ずしも、それぞれの駆動部が画像キャリアの中央部分でアクチュエータを介して動作しなければならないと云うものではない。
【００４４】
図７乃至９は例示的実施例を示すものであり、図に示す駆動装置８０は三つの駆動部８１、８２、８３を具える。ここで、駆動部８１と８２はそれぞれ画像キャリア６の端部領域に作用し、駆動部８３は画像キャリア６の中央部分に作用する。駆動部８１乃至８３は、それぞれ、画像キャリア６を実質的にその長軸に対して直角方向に変位させる。
【００４５】
このような観察装置を用いて、画像キャリア６の並行変位動作を実現させることが可能であり（図８および図９）、その結果、舞台設定のような画像表示を実現するために、平坦で平らな画像キャリア６全体が、前壁２の内壁１５からケーシング４の内部空間へ変位する。
【００４６】
画像キャリア６の曲率を変化させることも可能である（図７）。ここでは画像キャリア６の端部領域のみを曲率させ、画像キャリア６の中央部分に作用する駆動部８３がプレート状のアクチュエータ８４を具えるのであれば、画像キャリア６の残りの部分は平坦に形成する（図７）。更に、駆動部８１乃至８３が適宜駆動される場合、画像キャリア６は、観察装置のケーシング４に対して斜位を取ることもできる。
【００４７】
図１０は、本発明による観察装置を示すものであり、画像キャリア６の二つの対向する端部領域は、それぞれ、回転可能に形成された支持装置３１によって、支持装置が反対方向に同時に回転することで観察窓５に対して画像キャリア６の曲率が変化するように支持されている。ここで支持装置３１を確実に同時回転させるために、駆動エレメント３２（ゴムバンド、歯付きベルト等）は双方の支持装置３１と相互連結している。
【００４８】
図１１は、本発明による観察装置を示す図であり、画像キャリア６に対して外側に配置された透明でプレート状のエレメント３３が、端部領域に設けた変位可能なホルダ３４、３５の中で支持されている。このホルダ３４、３５を互いに向けて変位させると、エレメント３３が画像キャリア６の外側に向かって押付けられる結果、画像キャリア６の曲率が観察窓５に対して変化する。
【００４９】
この観察装置は、表示する画像７が、例えば、対応するスプール３６、３７によって巻取られる、または、巻戻されるフィルムである場合に、とりわけ有利である。その理由は、この場合、フィルムが表示された後に、フィルムを片方のスプールに素早く巻き取るために、プレート状のエレメント３３をその初期状態に位置させる結果、フィルム（もしくは、その場合に追加のガイドあるいはフィルムの保護フォイル等）に接触せず、エレメント３３との摩擦を避けることによって、摩耗が小さく抑えられる。
【００５０】
もちろん、本発明は上記に説明した実施例に限定されるものではなく、図１１に記載されている側方の支持具を画像キャリアに直接作用させて、画像キャリアに相応の曲率変化を起すようにしてもよい。
【００５１】
更に、符号７で示す画像は、分離した単体のもの（例えばフ、フィルムあるいは紙テープの形態のもの）でなくともよく、プロジェクタによって画像キャリア上に投影される画像も対象となり、画像キャリアは投影式もしくは光透過式の画像投影面（フレキシブルな映写幕、合成樹脂製平面、鏡表面等）であってもよい。
【００５２】
また、駆動装置は、必ずしも画像キャリアを左右対称で延ばすように形成されなければならないと云うことではない。むしろ、画像キャリアは非対称に変化してもよく、これは、看者が画像キャリア上に表示された画像を側方から見るときにとりわけ有利となる。
【００５３】
さらに、駆動装置は、磁力で動作する装置であってもよく、画像キャリア（例えば従来型のディスプレイ装置のシャドウマスク）によって形成されるか、画像キャリアの裏側あるいは画像キャリア側端部分に配置された少なくとも一つの磁性エレメントに作用する電磁石を設けることができる。
【００５４】
図１２及び１３に、これに対応する二つの実施例が示されている。
【００５５】
図１２は、観察装置を示し、ここでは駆動装置９０が、ストッパ面１２の裏側１２’に配置された概略を示す電磁石９１と、画像キャリア６の裏側１２に取付けられた磁性エレメント９２を具える。電磁石９１に流れる電流によって、磁性エレメント９２と、従って画像キャリア６が、多かれ少なかれストッパ面１２に向けて、またはこの面から押される。
【００５６】
図１３は、駆動装置９０’を具える観察装置を示し、ここでは横方向に変位するように配置された画像キャリア６の端部近傍に電磁石９１’設けられている。電磁石９１’にとりつけた磁性（もしくは帯磁性の）エレメント９２’が画像キャリア６の側面のホルダ３４’、３５’内に配置されているか、または、それ自体が電磁石によって形成されている。
【００５７】
更に、駆動装置は、流体式駆動装置であってもよく、例えばクッション状に形成されたフレキシブルな圧力容器（圧力クッション）が作用して、画像キャリアの位置を変化させる。この場合に画像キャリアは、画像キャリアの背面からも正面からも駆動することができ、可変の高圧及び可変の低圧の双方駆動することができる。
【００５８】
二つの相当する実施例を図１４と図１５に示す。
【００５９】
図１４に示す例示的実施例においては、画像キャリア６は前面側に配置された圧力クッション１００で駆動される。これはフレキシブルな画像キャリア６自体と観察装置の前壁２によって実質的に構成されており、前壁２が観察窓５の領域で閉鎖されており、透明な材質でできている。圧力クッション１００は、少なくとも一つの圧力配管（図示せず）を経て、例えば観察装置の外に配置することができる圧力制御装置（図示せず）と連結されて、矢印１１０で示すように、圧力クッション１００に圧力を供給する。
【００６０】
図１５に示す例示的実施例は、セパレート型の圧力クッション１００’を用いて、画像キャリア６を背面から駆動する。これは追加のアクチュエータ１０１によって画像キャリア６に作用する。この場合、圧力クッション１００’は、圧力配管１０２を介して観察装置内部に設置された圧力制御装置１０３に連結されている。
【００６１】
画像キャリアの位置を変えるための駆動装置用流体には、気体（例えば空気）と流体の双方を用いることができる。
【００６２】
符号一覧
１     観察装置
２     前壁
３     背壁
４     ケーシング
５     観察窓
６     画像キャリア
７     画像、スクリーンフィルム、フィルム
８−８IV 駆動装置 
９     駆動部
１０   アクチュエータ
１１   背面（画像キャリア）
１２   ストッパ面、支持装置
１２’   ストッパ面の背面
１３   スリット状の開口部
１４   端部領域（画像キャリア）
１５   内面（前壁）
１６   カバーフォイル
１７   回転軸
１８   偏心輪、アクチュエータ
１９   操作輪
２０   金属製もしくは合成樹脂製バンド、アクチュエータ
２１   ガイド
２２   支持装置
２３   巻取機構
２４   バウデンワイヤ
２５   芯線、アクチュエータ
２６   固定装置
２７   スピンドル駆動機構、駆動部
２８   スピンドルナット、スライダ、アクチュエータ
２９   ガイド
３０   可塑性エレメント、発泡ゴム
３１   支持装置
３２   駆動エレメント、アクチュエータ
３３   エレメント
３４、３５   ホルダ
３４’、３５’  ホルダ
３６、３７   リール
８０         駆動装置
８１−８３   駆動部
８４         アクチュエータ
９０、９０’   駆動装置
９１、９１’   電磁石
９２、９２’   磁性エレメント
１００、１００’    圧力容器、圧力クッション
１０１        アクチュエータ
１０２        圧力配管
１０３        圧力調整装置
１１０        矢印
【図面の簡単な説明】
【００６３】
本発明の更なる詳細や利点は以下の図面を参照して詳述される実施例から明らかになる。
【図１】図１は、本発明による観察装置の、画像キャリアの位置を変化させる電動式駆動装置を有する第一の実施例の断面図（上面図）であり、駆動装置は画像キャリアの中央部分に作用する。
【図２】図２は、本発明による観察装置のその他の四つの実施例の断面図であり、駆動装置は同じようにそれぞれ画像キャリアの中央部分に作用する。
【図３】図３は、本発明による観察装置のその他の四つの実施例の断面図であり、駆動装置は同じようにそれぞれ画像キャリアの中央部分に作用する。
【図４】図４は、本発明による観察装置のその他の四つの実施例の断面図であり、駆動装置は同じようにそれぞれ画像キャリアの中央部分に作用する。
【図５】図５は、本発明による観察装置のその他の四つの実施例の断面図であり、駆動装置は同じようにそれぞれ画像キャリアの中央部分に作用する。
【図６】図６は、可塑性エレメントを用いて、画像キャリアを固定することができる端部を示す概略図である。している。
【図７】図７は、一の実施例の概略図であり、ここでは３つの駆動部を持つ駆動装置が設けられており、画像キャリアの端部にも中央部分にも作用する。
【図８】図８は、一の実施例の概略図であり、ここでは３つの駆動部を持つ駆動装置が設けられており、画像キャリアの端部にも中央部分にも作用する。
【図９】図９は、一の実施例の概略図であり、ここでは３つの駆動部を持つ駆動装置が設けられており、画像キャリアの端部にも中央部分にも作用する。
【図１０】図１０は、回転可能に端部側に配置された画像キャリア支持装置を具える本発明による観察装置の概略図である。
【図１１】図１１は、透明でプレート状のアクチュエータが外側から画像キャリアを押す装置であり、アクチュエータが二つの端部側から観察装置のケーシングに側部において配置され、可動式である装置の概略図である。
【図１２】図１２は、画像キャリアの後側ブに配置した電磁アクチュエータに作用する電磁石によって作動する電磁駆動装置を具える本発明の観察装置を示す図である。
【図１３】図１３は、図１２に対応する図であり、電磁石が画像キャリア側面の端部領域に配置された少なくとも一つのアクチュエータに作用する。
【図１４】図１４は、流体の駆動装置を具える本発明による観察装置の概略図であり、圧力クッションの助けを借りて前側から画像キャリアの位置変化が生じる装置である。
【図１５】図１５は、図１４に対応する図であり、圧力クッションを用いて背面から画像キャリアの位置変化が生じる装置である。
【図１】
2009509181.tif 000003
【図２】
2009509181.tif 000004
【図３】
2009509181.tif 000005
【図４】
2009509181.tif 000006
【図５】
2009509181.tif 000007
【図６】
2009509181.tif 000008
【図７】
2009509181.tif 000009
【図８】
2009509181.tif 000010
【図９】
2009509181.tif 000011
【図１０】
2009509181.tif 000012
【図１１】
2009509181.tif 000013
【図１２】
2009509181.tif 000014
【図１３】
2009509181.tif 000015
【図１４】
2009509181.tif 000016
【図１５】
2009509181.tif 000017
【国際調査報告】
2009509181.tif 000018
2009509181.tif 000019
2009509181.tif 000020
2009509181.tif 000021
2009509181.tif 000022
2009509181.tif 000023